(57)【要約】【課題】被写体を大きく撮影できる望遠レンズ体を備えたカメラ付携帯電話用望遠レンズを提供する。【解決手段】カメラ付携帯電話１０のカメラレンズ部１１に望遠レンズ体２０を着脱自在構造によって取付けてなる。【選択図】      図１
2004233722.tif 000002
【特許請求の範囲】
【請求項１】
カメラ付携帯電話のカメラレンズ部に望遠レンズ体を着脱自在構造によって取付けてなることを特徴とするカメラ付携帯電話用望遠レンズ。
【請求項２】
前記望遠レンズ体には、カメラ付携帯電話のストラップ取付け部に取付けられるストラップを取付けするためのストラップ取付け部が形成されていることを特徴とする請求項１記載のカメラ付携帯電話用望遠レンズ。
【請求項３】
前記着脱自在構造は、前記カメラ付携帯電話及び前記望遠レンズ体の一方に接着テープを貼り付けてなることを特徴とする請求項１記載のカメラ付携帯電話用望遠レンズ。
【請求項４】
前記着脱自在構造は、前記カメラ付携帯電話及び前記望遠レンズ体にマジックテープ（登録商標）を貼り付けてなることを特徴とする請求項１記載のカメラ付携帯電話用望遠レンズ。
【請求項５】
前記着脱自在構造は、前記カメラ付携帯電話及び前記望遠レンズ体の一方に永久磁石を固定し、他方に磁性体を固定してなることを特徴とする請求項１記載のカメラ付携帯電話用望遠レンズ。
【請求項６】
前記着脱自在構造は、前記望遠レンズ体の端部に突起部を形成し、カメラ付携帯電話には、前記突起部が挿入されて該突起部を保持する保持リングが固定又は一体に形成されていることを特徴とする請求項１記載のカメラ付携帯電話用望遠レンズ。
【発明の詳細な説明】
【０００１】
【発明の属する技術分野】
本発明は、カメラ付携帯電話用望遠レンズに関する。
【０００２】
【従来の技術】
携帯電話は現在においては必需品になりつつある。この携帯電話で写真が手軽に撮影できるものとして、カメラ付携帯電話がブームを引き起こしつつある。
【０００３】
【発明が解決しようとする課題】
カメラ付携帯電話は、小型化及び軽量化のために、カメラレンズ部の拡大率が制限されるために、遠方の被写体は小さく撮影され、また近接した部分も撮影の大きさが制限されるという問題があった。
【０００４】
本発明の課題は、被写体を大きく撮影できる望遠レンズ体を備えたカメラ付携帯電話用望遠レンズを提供することにある。
【０００５】
【課題を解決するための手段】
上記課題を解決するための本発明の請求項１は、カメラ付携帯電話のカメラレンズ部に望遠レンズ体を着脱自在構造によって取付けてなることを特徴とする。
【０００６】
上記課題を解決するための本発明の請求項２は、請求項１において、前記望遠レンズ体には、カメラ付携帯電話のストラップ取付け部に取付けられるストラップを取付けするためのストラップ取付け部が形成されていることを特徴とする。
【０００７】
上記課題を解決するための本発明の請求項３は、請求項１において、前記着脱自在構造は、前記カメラ付携帯電話及び前記望遠レンズ体の一方に接着テープを貼り付けてなることを特徴とする。
【０００８】
上記課題を解決するための本発明の請求項４は、請求項１において、前記着脱自在構造は、前記カメラ付携帯電話及び前記望遠レンズ体にマジックテープ（登録商標）を貼り付けてなることを特徴とする。
【０００９】
上記課題を解決するための本発明の請求項５は、請求項１において、前記着脱自在構造は、前記カメラ付携帯電話及び前記望遠レンズ体の一方に永久磁石を固定し、他方に磁性体を固定してなることを特徴とする。
【００１０】
上記課題を解決するための本発明の請求項６は、請求項１において、前記着脱自在構造は、前記望遠レンズ体の端部に突起部を形成し、カメラ付携帯電話には、前記突起部が挿入されて該突起部を保持する保持リングが固定又は一体に形成されていることを特徴とする。
【００１１】
【発明の実施の形態】
本発明の一実施の形態を図により説明する。図１はカメラ付携帯電話１０のカメラレンズ部１１部分に望遠レンズ体２０を取付けた例を示す。望遠レンズ体２０は図２に示すように内部にレンズ２１を備えており、またカメラ付携帯電話１０のストラップ取付け部１２に取付けられたストラップ１３を取付けるストラップ取付け部２２が設けられている。望遠レンズ体２０は、カメラ付携帯電話１０のカメラレンズ部１１の周囲に着脱自在構造によって着脱自在に取付けられるようになっている。この望遠レンズ体２０の着脱自在構造を図３乃至図６により説明する。
【００１２】
図３は着脱自在構造の第１の実施の形態を示す。望遠レンズ体２０の端部には両面接着テープ３０が貼り付けられている。これにより、望遠レンズ体２０を使用する時は、両面接着テープ３０を介して望遠レンズ体２０をカメラ付携帯電話１０に取付けて使用することができる。両面接着テープ３０は、望遠レンズ体２０に取付けないで、カメラレンズ部１１の周囲のカメラ付携帯電話１０の本体に貼り付けてもよいことは勿論である。
【００１３】
図４は着脱自在構造の第２の実施の形態を示す。カメラレンズ部１１の周囲のカメラ付携帯電話１０の本体部分及び望遠レンズ体２０には、それぞれリング状のマジックテープ（登録商標）４０、４０が貼り付けられている。これによっても図３の場合と同様に使用できる。
【００１４】
図３における両面接着テープ３０及び図４におけるマジックテープ４０、４０は、使用頻度によりそれらの部材の接着力及び取付け力劣化するので、一定期間後に貼り換える必要がある。そこで、図４におけるマジックテープ４０、４０の一方を永久磁石に換え、他方を鉄板等の磁性体に換えることにより、永年使用ができるようになる。
【００１５】
図５及び図６は着脱自在構造の第３の実施の形態を示す。望遠レンズ体２０の端部には、外側に突出した突起部５０が一体に形成されている。カメラレンズ部１１の周囲のカメラ付携帯電話１０の本体部分には、突起部５０を保持する保持リング５１が固定されている。保持リング５１は、カメラレンズ部１１に対応した部分に開口部５２が形成され、開口部５２には突起部５０を挿入できる切り欠き溝５３が形成されている。また保持リング５１には、カメラ付携帯電話１０の本体を保持する円状の保持部５４が形成されている。
【００１６】
そこで、望遠レンズ体２０をカメラ付携帯電話１０に取付ける場合は、望遠レンズ体２０の突起部５０を保持リング５１の切り欠き溝５３に合わせて挿入し、望遠レンズ体２０を回すことにより望遠レンズ体２０は保持部５４に保持される。また望遠レンズ体２０をカメラ付携帯電話１０より取り外すには、前記と逆の操作により取り外すことができる。
【００１７】
このように、本実施の形態においては、カメラ付携帯電話１０のカメラレンズ部１１に望遠レンズ体２０を取付けて撮影できるので、遠い及び近くの被写体を拡大して撮影できる。また望遠レンズ体２０にストラップ取付け部２２を設けることにより、望遠レンズ体２０を置き忘れすることもない。更に望遠レンズ体２０はカメラ付携帯電話１０に着脱自在構造することにより、不使用時には望遠レンズ体２０をカメラ付携帯電話１０のカメラレンズ部１１より取り外しておくことができ、望遠レンズ体２０がカメラ付携帯電話１０より突出してかさばることがなく、携帯時における不都合も生じない。
【００１８】
【発明の効果】
本発明の請求項１は、カメラ付携帯電話のカメラレンズ部に望遠レンズ体を着脱自在構造によって取付けてなるので、被写体を大きく撮影できる。また本発明の請求項２は、請求項１において、前記望遠レンズ体には、カメラ付携帯電話のストラップ取付け部に取付けられるストラップを取付けするためのストラップ取付け部が形成されているので、望遠レンズ体を置き忘れすることもない。更に望遠レンズ体をカメラ付携帯電話に着脱自在構造することにより、不使用時には望遠レンズ体をカメラ付携帯電話のカメラレンズ部より取り外しておくことができ、望遠レンズ体がカメラ付携帯電話より突出してかさばることがなく、携帯時における不都合も生じない。
【図面の簡単な説明】
【図１】本発明のカメラ付携帯電話用望遠レンズの一実施の形態を示し、カメラ付携帯電話に望遠レンズ体を取付けた状態の斜視図である。
【図２】望遠レンズ体の斜視図である。
【図３】望遠レンズ体の着脱自在構造の第１の実施の形態をを示す断面図である。
【図４】望遠レンズ体の着脱自在構造の第２の実施の形態をを示す断面図である。
【図５】望遠レンズ体の着脱自在構造の第３の実施の形態をを示す断面図である。
【図６】（ａ）は図５のＡ−Ａ線矢視図、（ｂ）は図５のＢ−Ｂ線断面図である。
【符号の説明】
１０    カメラ付携帯電話
１１    カメラレンズ部
１２    ストラップ取付け部
１３    ストラップ
２０    望遠レンズ体
２１    レンズ
２２    ストラップ取付け部
３０    両面接着テープ
４０、４０    マジックテープ（登録商標）又は一方は永久磁石で他方は磁性体
５０    突起部
５１    保持リング
５２    開口部
５３    切り欠き溝
５４    保持部
【図１】
2004233722.tif 000003
【図２】
2004233722.tif 000004
【図３】
2004233722.tif 000005
【図４】
2004233722.tif 000006
【図５】
2004233722.tif 000007
【図６】
2004233722.tif 000008